(57)【要約】  【課題】  肛門付近を洗う際にも腰を上げずに洗うことができ、また、浴室用椅子に浴室用マットを立て掛けることができ、浴室内の掃除をする者の足元付近への洗浄水やシャワー水等の散水を防止するつい立てとしても利用でき、かつ、その使用後は、乾燥し易い状態に載置できる浴室用椅子を提供する。  【解決手段】  座部１０１の中央部分に凹溝部１０３を設け、凹溝部１０３は浴室用マットを立て掛けるマット立掛部１０５とシャワーヘッドを載置するシャワーヘッド載置部１０４を有する浴室用椅子１００である。【選択図】  図１
2006218066.tif 000002
【特許請求の範囲】
【請求項１】
座部の中央部分に凹溝部を設けることを特徴とする浴室用椅子。
【請求項２】
前記凹溝部は浴室用マットを立て掛けるマット立掛部を有することを特徴とする請求項１に記載の浴室用椅子。
【請求項３】
前記凹溝部はシャワーヘッドを載置するシャワーヘッド載置部を有することを特徴とする請求項１に記載の浴室用椅子。
【請求項４】
脚部に切欠溝部を設け、該切欠溝部は洗浄用具を収納するスペースを有することを特徴とする請求項１乃至３の何れかに記載の浴室用椅子。
【発明の詳細な説明】
【技術分野】
【０００１】
本発明は浴室内で使用する浴室用椅子に関する。
【背景技術】
【０００２】
従来、入浴する者が髪や身体を腰掛けた状態で洗うために用いる浴室用椅子が広く知られている。図９（Ａ）に示すように、浴室用椅子９００は、例えば合成樹脂製の座部９０１と脚部９０２を備えたものがある（下記特許文献１参照）。座部９０１は緩やかな皿溝で中央部分に小さな孔を開けた形状であり、皿溝は使用者が腰掛けやすいように緩やかに形成され、中央部分の孔は皿溝に溜まる洗浄水を流出させるために形成されている。また、脚部９０２は筒状に形成され、座部９０１に周設される支持脚と一体となっている。
【特許文献１】特開２０００−５１１１１号公報
【発明の開示】
【発明が解決しようとする課題】
【０００３】
しかしながら、上記の浴室用椅子は、肛門付近を洗うには腰を上げてからでなければ洗うことができないため、使用者は、その度に立ち上がるのが面倒であり、また、椅子に腰掛けた状態では肛門付近が接触しているので、次にそれを使う人にとって抵抗感が大きいという問題があった。
【０００４】
ところで、浴室内を掃除する際、掃除をする者はシャワーなどを用いて浴槽や洗い場などを清掃するが、この時、洗浄水やシャワー水等が足元付近にも散水され、衣服が汚れてしまうという問題があった。また、浴室内では図９（ｂ）に示すような浴室用マット９０３を用いる場合もある。浴室用マット９０３は入浴する者の足が、冷えた洗い場に触れないように、あるいは滑り止めに敷いて使用するものであり、これを敷くことにより入浴時は有効である。しかしながら、浴室用マット９０３を浴室内で敷いたままにし、洗浄水で濡らしたままの状態にしておくと、洗い場との間で湿気を帯び、これが元になってカビが発生し、不衛生となるという問題がある。浴室用マット９０３を使用した後は、立て掛けて乾燥させるのが良いが、浴室内でそういった場所はほとんどないという問題があった。
【０００５】
本発明は、こうした問題に着目し、肛門付近を洗う際にも腰を上げずに洗うことができ、また、浴室用椅子に浴室用マットを立て掛けることができ、浴室内の掃除をする者の足元付近への洗浄水やシャワー水等の散水を防止するつい立てとしても利用でき、かつ、その使用後は、乾燥し易い状態に載置できる浴室用椅子を提供することを目的とする。
【課題を解決するための手段】
【０００６】
本発明の請求項１に記載の発明は、座部の中央部分に凹溝部を設けることを特徴とする浴室用椅子である。
【０００７】
本発明の請求項２に記載の発明は、請求項１に記載の浴室用椅子について、前記凹溝部は浴室用マットを立て掛けるマット立掛部を有することを特徴とする。
【０００８】
本発明の請求項３に記載の発明は、請求項１に記載の浴室用椅子について、前記凹溝部はシャワーヘッドを載置するシャワーヘッド載置部を有することを特徴とする。
【０００９】
本発明の請求項４に記載の発明は、請求項１乃至３の何れかに記載の浴室用椅子について、脚部に切欠溝部を設け、該切欠溝部は洗浄用具を収納するスペースを有することを特徴とする。
【発明の効果】
【００１０】
本発明の浴室用椅子によれば、肛門付近を洗う際にも腰を上げずに洗うことができ、次の人が使用する際にも抵抗感なく使用できる。また、浴室用椅子に浴室用マットを立て掛けることで、浴室内の掃除をする者の足元付近への洗浄水やシャワー水等の散水を防止するつい立てとしても利用でき、使用者の衣服が濡れるのを防止できる。また、入浴後や掃除後、浴室用椅子に浴室用マットを立て掛けることで、洗浄水を乾燥し易い状態に載置でき、カビなどの発生を防止し、衛生を保つことができる。また、切欠溝部に石鹸やシャンプー、あるいはスポンジや洗浄タオル等の洗浄用具を収納することができるので、すぐにこれらを取り出すことができて便利である。
【発明を実施するための最良の形態】
【００１１】
以下、本発明を実施するための最良の形態を説明する。ただし、本発明は以下で説明する範囲に限定されるものではなく、その要旨を逸脱しない範囲であれば、適宜に変更、実施できるものである。
【００１２】
以下、図１乃至図８を用いて、本実施例で用いる浴室用椅子を説明する。浴室用椅子１００は、座部１０１と脚部１０２を備え、座部１０１の中央部分には凹溝部１０３を設けている。そして凹溝部１０３にはシャワーヘッド６０１を載置するシャワーヘッド載置部１０４と浴室用マット７０１を立て掛けるマット立掛部１０５を有している。
【００１３】
シャワーヘッド載置部１０４はシャワーヘッド６０１を載置できる略円状のスペース、及び浴室用椅子１００を使用する人が座部１０１に腰掛けた際、シャワーヘッド載置部１０４に載置したシャワーヘッド６０１からの放水を効率良く行うスペースを備えている（図６参照）。これにより、浴室用椅子１００を使用する人が座部１０１に腰掛けた際は、腰を上げずに肛門付近を洗うことができ、シャワーヘッド載置部１０４にシャワーヘッド６０１を載置することで、そこから放水されるシャワー水によりきれいに洗浄することができる。また、この時、座部１０１には使用者の肛門付近が接触しないので、次の人が使用する際にも抵抗感なく使用することができる。
【００１４】
一方、マット立掛部１０５は浴室用マット７０１の幅と略同じ幅のスペースを備えている（図７参照）。これにより、浴室用マット７０１の使用時は従来と同様に敷いて使用でき、一方、その使用後はマット立掛部１０５に立て掛けた状態にすることで、浴室内の掃除をする際、使用者の足元付近への洗浄水やシャワー水等の散水を防止するつい立てとしても利用でき、使用者の衣服が濡れるのを防止できる。また、入浴後や掃除後は、使用時に付いた洗浄水を乾燥し易い状態に載置でき、カビなどの発生を防止し、衛生を保つことができる。
【００１５】
さらに、脚部１０２には石鹸８０１やシャンプー、あるいはスポンジ８０２や洗浄タオル等の洗浄用具を収納できるスペースを有する切欠溝部１０６を設けている（図８参照）。これにより、使用者は髪や身体を洗う際に、すぐにこれらを取り出すことができて便利である。
【００１６】
以上、本実施例の浴室用椅子によれば、肛門付近を洗う際にも腰を上げずに洗うことができ、次の人が使用する際にも抵抗感なく使用できる。また、浴室用椅子に浴室用マットを立て掛けることで、浴室内の掃除をする者の足元付近への洗浄水やシャワー水等の散水を防止するつい立てとしても利用でき、使用者の衣服が濡れるのを防止できる。また、入浴後や掃除後、浴室用椅子に浴室用マットを立て掛けることで、洗浄水を乾燥し易い状態に載置でき、カビなどの発生を防止し、衛生を保つことができる。
【００１７】
なお、図示するシャワーヘッド載置部１０４は略円状のスペースを設ける形態を例に示したが、その形状については適宜に変更、設計できるものである。また、図示する切欠溝部１０６は脚部１０２の両端に配設する形態を例に示したが、その位置や数についても適宜に変更、設計できるものである。
【産業上の利用可能性】
【００１８】
本発明の浴室用椅子は、家庭内はもちろん、大衆浴場で利用することもできる。大衆浴場では衛生面や利便性が重要視されているので、そのような場で用いることは好適である。
【図面の簡単な説明】
【００１９】
【図１】本発明の浴室用椅子の斜視図
【図２】本発明の浴室用椅子の正面図
【図３】本発明の浴室用椅子の平面図
【図４】本発明の浴室用椅子の側面図
【図５】図２のＡ−Ａ線に沿う断面図
【図６】浴室用椅子の載置部にシャワーを置いた状態を示す図
【図７】浴室用椅子の載置部に浴室用マットを置いた状態を示す図
【図８】浴室用椅子の洗浄用具収納部に石鹸等を置いた状態を示す図
【図９】従来の浴室用椅子（Ａ）と浴室用マット（Ｂ）を示す図
【符号の説明】
【００２０】
１００  浴室用椅子
１０１  座部
１０２  脚部
１０３  凹溝部
１０４  シャワーヘッド載置部
１０５  マット立掛部
１０６  切欠溝部
６０１  シャワーヘッド
７０１  浴室用マット
８０１  石鹸（洗浄用具）
８０２  スポンジ（洗浄用具）
【図１】
2006218066.tif 000003
【図２】
2006218066.tif 000004
【図３】
2006218066.tif 000005
【図４】
2006218066.tif 000006
【図５】
2006218066.tif 000007
【図６】
2006218066.tif 000008
【図７】
2006218066.tif 000009
【図８】
2006218066.tif 000010
【図９】
2006218066.tif 000011